(57)【要約】【課題】意匠性の高いクレセントの受部材を有したクレセント付サッシを提供する。【解決手段】樹脂材からなる内外障子４、５を枠体１内に設け、内障子５の召合せ框４１にはハンドル６３と連動して回動する掛部６２を有したクレセント６０を設け、外障子４の召合せ框４１にはクレセント６０の掛部６２が係合する受部６７を有した受部材６６を設け、受部材６６は受部６７と外障子４に対する固定部６８とからなり、固定部６８は外障子４の室内面に室内側から重合状態で取付固定され、受部６７にはその室内側露出面を覆う受部カバー７０が設けられると共に、固定部６８にはその室内側露出面を覆う固定部カバー７５が設けられる。【選択図】図３
2006291460.tif 000002
【特許請求の範囲】
【請求項１】
樹脂材からなる内外障子を枠体内に設け、上記内障子の召合せ框にはハンドルと連動して回動する掛部を有したクレセントを設け、上記外障子の召合せ框には上記クレセントの掛部が係合する受部を有した受部材を設けたクレセント付サッシにおいて、
上記受部材は上記受部と上記外障子に対する固定部とからなり、該固定部は上記外障子の室内面に室内側から重合状態で取付固定され、上記受部にはその室内側露出面を覆う受部カバーが設けられると共に、上記固定部にはその室内側露出面を覆う固定部カバーが設けられることを特徴とするクレセント付サッシ。
【請求項２】
上記受部材の受部と固定部は略同一平面上に形成されると共に、固定部は凸部または凹部を有してなることを特徴とする請求項１記載のクレセント付サッシ。
【請求項３】
上記固定部カバーの室内面は上記掛部と係合する受部の被係合部の先端よりも室外側に配置されてなることを特徴とする請求項１または２記載のクレセント付サッシ。
【発明の詳細な説明】
【技術分野】
【０００１】
本発明は、樹脂材からなる内外障子にクレセントとその受部材を設けてなるクレセント付サッシに関し、特に受部材を樹脂材で覆ってなるクレセント付サッシに関する。
【背景技術】
【０００２】
従来から内外障子を引き違い状としてなるサッシが知られている。このようなサッシでは、内障子の召合せ框にクレセントを設け、外障子の召合せ框には受部を設け、クレセントのハンドルを回動させることで、それに連動して爪状の掛部が回動し、外障子の受部に係合して障子を施錠することができるようにされている。このようなクレセントを有した引き違い障子のサッシは例えば特許文献１に挙げるようなものがある。
【特許文献１】特開２００２−１８０７２４号公報
【発明の開示】
【発明が解決しようとする課題】
【０００３】
特許文献１に挙げるクレセント付サッシは、内外障子を金属材とその室内側露出面を覆う樹脂材とで構成した複合サッシであり、グレチャンを用いて障子のガラス体を挟持している。また、クレセントの受部を有した受部材は、外障子の縦框室内面に室外側から重合状態とされ、固定されている。すなわち、受部材は、外障子の縦框とグレチャンの間に挟まれるようにして、縦框室内面に固定されている。
【０００４】
しかし、全体が樹脂材からなる内外障子を有する樹脂サッシにおいては、ガラス体を固定するために押縁構造が採られる。この場合においては、受部材をガラス体と押縁部材の間に挟むようにすることはできない。したがって、受部材は全体が外障子縦框より室内側に露出した状態となる。樹脂サッシは全体が樹脂材により構成されているのに対し、受部材は金属材により構成されているので、サッシの意匠性を損なうものとなっていた。
【０００５】
本発明は、上記課題を解決すべくなされたものであり、意匠性の高いクレセントの受部材を有したクレセント付サッシを提供することを目的とする。
【課題を解決するための手段】
【０００６】
上記課題を解決するため、本発明に係るクレセント付サッシは、樹脂材からなる内外障子を枠体内に設け、上記内障子の召合せ框にはハンドルと連動して回動する掛部を有したクレセントを設け、上記外障子の召合せ框には上記クレセントの掛部が係合する受部を有した受部材を設けたクレセント付サッシにおいて、
上記受部材は上記受部と上記外障子に対する固定部とからなり、該固定部は上記外障子の室内面に室内側から重合状態で取付固定され、上記受部にはその室内側露出面を覆う受部カバーが設けられると共に、上記固定部にはその室内側露出面を覆う固定部カバーが設けられることを特徴として構成されている。
【０００７】
また、本発明に係るクレセント付サッシは、上記受部材の受部と固定部は略同一平面上に形成されると共に、固定部は凸部または凹部を有してなることを特徴として構成されている。
【０００８】
さらに、本発明に係るクレセント付サッシは、上記固定部カバーの室内面は上記掛部と係合する受部の被係合部の先端よりも室外側に配置されてなることを特徴として構成されている。
【発明の効果】
【０００９】
本発明に係るクレセント付サッシによれば、受部材の固定部は外障子の室内面に室内側から重合状態で取付固定され、受部にはその室内側露出面を覆う受部カバーが設けられ、固定部にはその室内側露出面を覆う固定部カバーが設けられることにより、クレセント受けの受部だけでなく固定部もカバーで覆われるので、クレセント受けの意匠性を高めた樹脂サッシとすることができる。また、受部カバーと固定部カバーを別々に設けたので、受部カバーは複合サッシに用いられるものと共用することができ、コストダウンを図ることができる。
【００１０】
また、本発明に係るクレセント付サッシによれば、受部材の受部と固定部は略同一平面上に形成され、固定部は凸部または凹部を有してなることにより、受部材の形成が容易であると共に、充分な強度を確保することができる。
【００１１】
さらに、本発明に係るクレセント付サッシによれば、固定部カバーの室内面は掛部と係合する受部の被係合部の先端よりも室外側に配置されてなることにより、固定部カバーが内障子やクレセントと干渉しないようにすることができる。
【発明を実施するための最良の形態】
【００１２】
本発明の実施形態について、図面に沿って詳細に説明する。図１には、本実施形態におけるクレセント付サッシの縦断面図を、図２にはその横断面図を、それぞれ示している。これら各図に示すように、本実施形態におけるサッシの基本構成は、建物開口部に取付けられる枠体１内に、外障子４と内障子５を引き違い状に納め、さらにその室外側には網戸６を納めてなるものである。枠体１は樹脂材からなり、下枠１０と上枠２０及び左右の縦枠２１、２１を方形状に枠組みして構成されるものである。また、外障子４と内障子５は、樹脂材からなる下框３０と上框４０及び左右の縦框４１、４１を方形状に框組みして框体２を構成し、その内部にガラス体３を納めてなるものである。
【００１３】
下枠１０は、樹脂材からなり、下部には中空状に形成されてなる中空部１１を有し、その上部には敷居面１２が形成されている。敷居面１２には、室外側から順にそれぞれ突出状の網戸レール部１２ａ、外レール部１２ｂ、内レール部１２ｃ、及び室内側部１２ｄが形成されている。これら外レール１２ｂ、内レール部１２ｃ、及び室内側部１２ｄの上面は、略同じ高さとなるように形成されている。
【００１４】
網戸レール部１２ａと外レール部１２ｂにより外側凹部１３が、外レール部１２ｂと内レール部１２ｃにより中間凹部１４が、内レール部１２ｃと室内側部１２ｄにより内側凹部１５が、それぞれ形成されている。上枠２０と縦枠２１についても、略同じ断面形状を有するように形成される。
【００１５】
下枠１０の中間凹部１４には外側アタッチメント５０を、内側凹部１５には内側アタッチメント５２を、それぞれ設けて敷居面１２の平坦面を拡大している。外側アタッチメント５０は、上面５１が平面状に形成されており、この上面５１の高さは外レール部１２ｂの上面の高さと略同じであって、また外レール部１２ｂの上面と略連続状とされている。内側アタッチメント５２の上面５３も平面状に形成されており、その高さが内レール部１２ｃの上面及び室内側部１２ｄの上面の高さと略同じとされている。また、内側アタッチメント５２の上面５３は、内レール部１２ｃから室内側部１２ｄに渡って設けられており、内レール部１２ｃの上面から室内側部１２ｄの上面までを略連続状として拡張し、平坦面を広くしている。
【００１６】
下枠１０の網戸レール部１２ａには、網戸レールカバー５５が取付けられる。網戸レールカバー５５は、外側凹部１３の室外面と底面を略覆うように形成され、上面には網戸６を案内する網戸レール５６が形成されている。この網戸レール５６の上端は外レール部１２ｂや内レール部１２ｃの上面と略同じ高さとなるように形成されている。
【００１７】
次に、外障子４と内障子５について説明する。図１に示すように、外障子４の下框３０は、室外面を垂下した室外垂下部３１と、室内面を垂下した室内下端部３３とを有し、室外垂下部３１は下枠１０の外側凹部１３に納められ、室内下端部３３はその下端面が外側アタッチメント５０の上面５１と対向する。また、外障子４の下框３０の下端部には、戸車３５が設けられて、これが外レール部１２ｂに載置され、走行自在とされる。
【００１８】
内障子５の下框３０も、室外面を垂下した室外垂下部３１と、室内面を垂下した室内下端部３３とを有し、室外垂下部３１は下枠１０の中間凹部１４に納められ、室内下端部３３はその下端面が内側アタッチメント５２の上面５３に対向する。また、内障子５の下框３０の下端部には、戸車３５が設けられて、これが内レール部１２ｃに載置され、走行自在とされる。
【００１９】
図２に示すように、召合せ側の縦框４１については、樹脂材からなり縦框４１の外周面を覆う召合せ框カバー４２を設けている。また、この縦框４１の室外面には金属からなる煙返し部材４３が外障子４と内障子５で互い違いとなるように設けられており、これらが噛み合うことで障子の召合せ部分における気密性を確保している。
【００２０】
次に、クレセントについて説明する。図３には、図２のクレセント付近の拡大図を示している。この図に示すように、内障子５の召合せ框４１にはクレセント６０が設けられ、外障子４の召合せ框４１にはクレセント受け６５が設けられる。
【００２１】
クレセント６０は、召合せ框４１に固定されるボックス部６１と、ボックス部６１に回動自在に取付けられたハンドル６３と、ハンドル６３に固定され共に回動する爪状の掛部６２とを備えている。クレセント受け６５は受金具６６を有してなり、この受金具６６は内障子５と外障子４が閉じた状態でクレセント６０の掛部６２が回動することで係合する受部６７を備えている。
【００２２】
また、受金具６６は、受部６７よりも見付方向外側に、受部６７と略同一面状となるように外障子４に対する固定部６８が形成されている。固定部６８は、外障子４の召合せ框４１の室内面に室内側から重合状とされ、ネジ止めされている。受金具６６には、受部６７の室内側露出面に樹脂材からなる受部カバー７０が、固定部６８の室内側露出面に樹脂材からなる固定部カバー７５が、それぞれ取付けられて各面を覆っている。
【００２３】
図４には、クレセント受け６５の正面図を示している。この図に示すように、受金具６６はクレセント６０の掛部６２が係合する受部６７の被係合部６７ａが露出し、それ以外の部分は受部カバー７０及び固定部カバー７５によって覆われている。受部カバー７０には、室内側に向かって突出する突起部７１が形成されており、クレセント６０に空掛け防止機能を付加した際にその検出部として用いることができる。
【００２４】
固定部カバー７５は、室内面が略平面状となるように形成されている。また、図３に示すように、固定部カバー７５の室内面は受金具６６の被係合部６７ａ先端よりも室外側に配置されており、固定部カバー７５が内障子５やクレセント６０と干渉しないようにされている。受金具６６の固定部６８には、召合せ框４１に対するネジ止めのために長孔状のネジ孔６８ａ、６８ａが形成されている。また、固定部カバー７５にも、それに対応してネジ孔７６、７６が形成されている。
【００２５】
図５には、クレセント受け６５の組立図について示している。この図に示すように、受金具６６は、固定部６８の上下両縁部にそれぞれ凹部６８ｂ、６８ｂが形成されている。固定部６８は受部６７と略同一平面状に形成されると共に、凹部６８ｂを有していることにより、受金具６６の形成が容易であると共に、充分な強度も確保することができる。なお、本実施形態では固定部６８に凹部６８ｂを形成しているが、逆に凸部を形成してもよい。
【００２６】
受部カバー７０と固定部カバー７５は、それぞれ受金具６６の側方からスライドさせ係合させることで固定することができる。このため、受部カバー７０と固定部カバー７５には、室外面側をそれぞれ受金具６６の外形状に略適合するように形成すると共に、適所に係合部を設けて受金具６６に対して固定をなすようにされている。
【００２７】
このように、受部カバー７０と固定部カバー７５を別々に設けることにより、受部カバー７０については、複合サッシに使用されるものと共用することができて、コストダウンを図ることができる。また、固定部カバー７５を設けることにより、受部６７だけでなく固定部６８についても樹脂材で覆うことができるので、樹脂サッシにおいて内観を統一することができ、室内側から見た意匠性を高めることができる。
【００２８】
以上、本発明の実施形態について説明したが、本発明の適用は本実施形態には限られ
ず、その技術的思想の範囲内において様々に適用されうるものである。
【図面の簡単な説明】
【００２９】
【図１】本実施形態におけるクレセント付サッシの縦断面図である。
【図２】本実施形態におけるクレセント付サッシの横断面図である。
【図３】図２のうちクレセント周辺の拡大図である。
【図４】クレセント受けの正面図である。
【図５】クレセント受けの組立図である。
【符号の説明】
【００３０】
１    枠体
２    框体
３    ガラス体
４    外障子
５    内障子
１０    下枠
２０    上枠
２１    縦枠
３０    下框
４０    上框
４１    縦框
６０    クレセント
６１    ボックス部
６２    掛部
６３    ハンドル
６５    クレセント受け
６６    受金具
６７    受部
６７ａ  被係合部
６８    固定部
６８ａ  ネジ孔
６８ｂ  凹部
７０    受部カバー
７５    固定部カバー
【図１】
2006291460.tif 000003
【図２】
2006291460.tif 000004
【図３】
2006291460.tif 000005
【図４】
2006291460.tif 000006
【図５】
2006291460.tif 000007